(57)【要約】【課題】表示されたイメージに輝度むらが生じるのを抑制することができる走査型表示装置及び走査型表示システムを提供する。【解決手段】走査型表示装置１は、光源２と、集光部６と、光走査部３と、光拡散部４と、を備える。レーザ光Ｌ１の波長をλとし、光走査部３の有効開口径をＭとし、光走査部３から光拡散部４までの距離をＬとし、光拡散部４における複数の光拡散チャネル４ａの配列ピッチをＰとすると、光拡散部４は、配列ピッチがＰ≧（４λＬ）／（πＭ）に基づいて設定された値となるように、構成されている。光走査部３から光拡散部４までの距離は、集光部６から光走査部３までの距離よりも長い。【選択図】図２
2020030417.tif 000002
【特許請求の範囲】
【請求項１】
投影表示用のレーザ光を出射する光源と、
前記光源から出射された前記レーザ光を集光する集光部と、
前記集光部を通過した前記レーザ光を走査する光走査部と、
二次元に配列された複数の光拡散チャネルを有し、前記光走査部によって走査された前記レーザ光を拡散させる光拡散部と、を備え、
前記レーザ光の波長をλとし、前記光走査部の有効開口径をＭとし、前記光走査部から前記光拡散部までの距離をＬとし、前記複数の光拡散チャネルの配列ピッチをＰとすると、前記光拡散部は、前記配列ピッチがＰ≧（４λＬ）／（πＭ）に基づいて設定された値となるように、構成されており、
前記光走査部から前記光拡散部までの距離は、前記集光部から前記光走査部までの距離よりも長い、走査型表示装置。
【請求項２】
前記光拡散部は、前記配列ピッチがＰ≧（４λＬ）／（πＭ）＋Ｌλ／Ｍに基づいて設定された値となるように、構成されている、請求項１に記載の走査型表示装置。
【請求項３】
前記光走査部は、ＭＥＭＳミラーである、請求項１又は２に記載の走査型表示装置。
【請求項４】
前記ＭＥＭＳミラーのミラー面の曲率半径をφとすると、前記光拡散部は、前記配列ピッチがＰ≧（４λＬ）／（πＭ）＋２Ｌtan（２tan−１（Ｍ／（２φ）））に基づいて設定された値となるように、構成されている、請求項３に記載の走査型表示装置。
【請求項５】
前記光拡散部は、透過型のマイクロレンズアレイである、請求項１〜４のいずれか一項に記載の走査型表示装置。
【請求項６】
投影表示用のレーザ光を出射する光源と、
前記光源から出射された前記レーザ光を集光する集光部と、
前記集光部を通過した前記レーザ光を走査する光走査部と、
二次元に配列された複数の光拡散チャネルを有し、前記光走査部によって走査された前記レーザ光を拡散させる光拡散部と、を備え、
前記レーザ光の波長をλとし、前記光走査部の有効開口径をＭとし、前記光走査部から前記光拡散部までの距離をＬとし、前記複数の光拡散チャネルの配列ピッチをＰとすると、前記光拡散部は、前記配列ピッチがＰ≧（４λＬ）／（πＭ）に基づいて設定された値となるように、構成されており、
前記光走査部から前記光拡散部までの距離は、前記集光部から前記光走査部までの距離よりも長い、走査型表示システム。
【請求項７】
前記光拡散部の後段に配置された光学系を更に備える、請求項６に記載の走査型表示システム。
【発明の詳細な説明】
【技術分野】
【０００１】
本発明は、走査型表示装置及び走査型表示システムに関する。
【背景技術】
【０００２】
投影表示用のレーザ光を出射する光源と、光源から出射されたレーザ光を走査する光走査部と、光走査部によって走査されたレーザ光を拡散させる光拡散部と、を備える走査型表示装置が知られている（例えば、特許文献１参照）。光拡散部としては、例えば、透過型のマイクロレンズアレイ等、二次元に配列された複数の光拡散チャネルを有する光学素子が用いられている。
【先行技術文献】
【特許文献】
【０００３】
【特許文献１】特開２０１６−１３３７００号公報
【発明の概要】
【発明が解決しようとする課題】
【０００４】
上述したような走査型表示装置においては、レーザ光がコヒーレントな光であることに起因して、表示されたイメージに輝度むら（不規則な輝度むら（スペックル）、規則的な輝度むらを含む）が生じる場合があった。
【０００５】
本発明は、表示されたイメージに輝度むらが生じるのを抑制することができる走査型表示装置及び走査型表示システムを提供することを目的とする。
【課題を解決するための手段】
【０００６】
本発明の走査型表示装置は、投影表示用のレーザ光を出射する光源と、光源から出射されたレーザ光を集光する集光部と、集光部を通過したレーザ光を走査する光走査部と、二次元に配列された複数の光拡散チャネルを有し、光走査部によって走査されたレーザ光を拡散させる光拡散部と、を備え、レーザ光の波長をλとし、光走査部の有効開口径をＭとし、光走査部から光拡散部までの距離をＬとし、複数の光拡散チャネルの配列ピッチをＰとすると、光拡散部は、配列ピッチがＰ≧（４λＬ）／（πＭ）に基づいて設定された値となるように、構成されている。
【０００７】
この走査型表示装置によれば、光拡散部におけるレーザ光の集光サイズを光拡散チャネルの配列ピッチ以下とすることができる。したがって、この走査型表示装置によれば、表示されたイメージに輝度むらが生じるのを抑制することができる。
【０００８】
本発明の走査型表示装置では、光拡散部は、配列ピッチがＰ≧（４λＬ）／（πＭ）＋Ｌλ／Ｍに基づいて設定された値となるように、構成されていてもよい。これによれば、光走査部においてレーザ光に回折が起こったとしても、光拡散部におけるレーザ光の集光サイズを光拡散チャネルの配列ピッチ以下とすることができるので、表示されたイメージに輝度むらが生じるのを抑制することができる。
【０００９】
本発明の走査型表示装置では、光走査部は、ＭＥＭＳミラーであってもよい。これによれば、光拡散部に対するレーザ光の走査を高速且つ高精度で実現することができる。
【００１０】
本発明の走査型表示装置では、ＭＥＭＳミラーのミラー面の曲率半径をφとすると、光拡散部は、配列ピッチがＰ≧（４λＬ）／（πＭ）＋２Ｌtan（２tan−１（Ｍ／（２φ）））に基づいて設定された値となるように、構成されていてもよい。これによれば、ＭＥＭＳミラーのミラー面に歪みが生じたとしても、光拡散部におけるレーザ光の集光サイズを光拡散チャネルの配列ピッチ以下とすることができるので、表示されたイメージに輝度むらが生じるのを抑制することができる。
【００１１】
本発明の走査型表示装置では、光拡散部は、透過型のマイクロレンズアレイであってもよい。これによれば、二次元に配列された複数の光拡散チャネルによるレーザ光の拡散を確実に且つ容易に実現することができる。
【００１２】
本発明の走査型表示システムは、投影表示用のレーザ光を出射する光源と、光源から出射されたレーザ光を集光する集光部と、集光部を通過したレーザ光を走査する光走査部と、二次元に配列された複数の光拡散チャネルを有し、光走査部によって走査されたレーザ光を拡散させる光拡散部と、を備え、レーザ光の波長をλとし、光走査部の有効開口径をＭとし、光走査部から光拡散部までの距離をＬとし、複数の光拡散チャネルの配列ピッチをＰとすると、光拡散部は、配列ピッチがＰ≧（４λＬ）／（πＭ）に基づいて設定された値となるように、構成されている。
【００１３】
この走査型表示システムによれば、光拡散部におけるレーザ光の集光サイズを光拡散チャネルの配列ピッチ以下とすることができる。したがって、この走査型表示システムによれば、表示されたイメージに輝度むらが生じるのを抑制することができる。
【００１４】
本発明の走査型表示システムは、光拡散部の後段に配置された光学系を更に備えてもよい。この場合にも、表示されたイメージに輝度むらが生じるのを抑制することができる。
【発明の効果】
【００１５】
本発明によれば、表示されたイメージに輝度むらが生じるのを抑制することができる走査型表示装置及び走査型表示システムを提供することが可能となる。
【図面の簡単な説明】
【００１６】
【図１】一実施形態の走査型表示システムの構成図である。
【図２】図１に示される走査型表示システムが備える走査型表示装置の構成図である。
【図３】光走査部から光拡散部を介して眼に至る光路を示す図である。
【図４】光の集光状態を説明するための図である。
【図５】光の回折現象を説明するための図である。
【発明を実施するための形態】
【００１７】
以下、本発明の実施形態について、図面を参照して詳細に説明する。なお、各図において同一又は相当部分には同一符号を付し、重複する説明を省略する。
【００１８】
図１に示されるように、走査型表示システム１０は、例えば自動車に搭載されるレーザ走査型プロジェクションディスプレイであり、自動車のフロントガラス１００にイメージを表示（投影表示）する。走査型表示システム１０は、走査型表示装置１と、光学系１１と、を備えている。光学系１１は、複数の平面ミラー１１ａ，１１ｂと、凹面ミラー１１ｃと、フロントガラス１００と、を有している。フロントガラス１００は、光学系１１において最後段の光学素子として機能する。走査型表示装置１から出射された投影表示用の光Ｌ２は、平面ミラー１１ａ、平面ミラー１１ｂ、凹面ミラー１１ｃ及びフロントガラス１００で順次に反射されて観察者の眼Ｅに入射する。
【００１９】
図２に示されるように、走査型表示装置１は、光源２と、集光部６と、光走査部３と、光拡散部４と、を備えている。光源２は、投影表示用のレーザ光Ｌ１を出射する。より具体的には、光源２は、複数の光出射部を有している。例えば、複数の光出射部は、それぞれ、赤色レーザダイオード、緑色レーザダイオード、青色レーザダイオードである。各光出射部は、可視域の波長を有するレーザ光Ｌ１を出射する。各光出射部から出射されたレーザ光Ｌ１は、集光部６に入射する。集光部６は、各光出射部から出射されたレーザ光Ｌ１を集光する。集光部６は、例えば、集光レンズである。各光出射部から出射されたレーザ光Ｌ１は、集光部６から光走査部３に至る間に、例えばダイクロイックミラーによって合成される。
【００２０】
光走査部３は、集光部６を通過したレーザ光Ｌ１（合成されたレーザ光Ｌ１）を走査する。より具体的には、光走査部３は、集光部６を通過したレーザ光Ｌ１を反射して走査するＭＥＭＳミラーである。ＭＥＭＳミラーは、ＭＥＭＳ（Micro  Electro  Mechanical  Systems）技術によって製造された駆動ミラーであり、その駆動方式には、電磁駆動式、静電駆動式、圧電駆動式、熱駆動式等がある。光走査部３は、平坦なミラー３ａを有している。ミラー３ａは、互いに直交する二軸回りで揺動可能であり、一方の軸回りでは共振周波数レベルで高速に揺動される。ＭＥＭＳミラーである光走査部３は、光拡散部４に対してレーザ光Ｌ１を走査する。
【００２１】
光拡散部４は、二次元に配列された複数の光拡散チャネル４ａを有しており、光走査部３によって走査されたレーザ光Ｌ１を拡散させる。より具体的には、光拡散部４は、透過型のマイクロレンズアレイである。すなわち、光拡散部４は、光走査部３によって走査されたレーザ光Ｌ１を透過させて拡散させる。光拡散チャネル４ａは、例えばマトリックス状に配列された複数のマイクロレンズのそれぞれである。光拡散部４によって拡散されたレーザ光Ｌ１のうちイメージを構成する光が、投影表示用の光Ｌ２として、光拡散部４の後段に配置された光学系１１に入射する（図１参照）。なお、光拡散部４の光入射面は、複数のマイクロレンズに対応した複数の凸面によって構成されている。一方、光拡散部４の光出射面は、平坦面である。
【００２２】
以上のように構成された走査型表示装置１は、制御部（図示省略）によって、次のように動作させられる。まず、制御部は、投影表示開始の入力信号を受信すると、光源２の各光出射部の出力を開始させる。これにより、光源２からレーザ光Ｌ１が出射される。これと略同時に、制御部は、光走査部３の動作を開始させる。これにより、光走査部３では、ミラー３ａの揺動が開始され、光源２から出射されて集光部６を通過したレーザ光Ｌ１が光拡散部４に対して走査される。このとき、制御部は、光源２の各光出射部から出射されるレーザ光Ｌ１の比率を、光拡散部４内におけるレーザ光Ｌ１の走査位置に応じて変化させる。これにより、投影表示用の光Ｌ２（すなわち、光拡散部４によって拡散されたレーザ光Ｌ１のうちイメージを構成する光）が、平面ミラー１１ａ、平面ミラー１１ｂ、凹面ミラー１１ｃ及びフロントガラス１００で順次に反射されて観察者の眼Ｅに入射する。
【００２３】
ここで、表示されたイメージに輝度むら（不規則な輝度むら（スペックル）、規則的な輝度むらを含む）が生じる原理について説明する。図３は、光走査部３から光拡散部４を介して眼Ｅに至る光路を示す図である。説明の便宜上、図３では、光走査部３、光拡散部４及び眼Ｅを一直線上に示し、光学系１１の図示を省略している。
【００２４】
図３に示されるように、光走査部３で反射されたレーザ光Ｌ１が、複数の光拡散チャネル４ａのうち互いに隣り合う（具体的には、レーザ光Ｌ１の水平走査方向、垂直走査方向において互いに隣り合う）任意の一対の光拡散チャネル４ａ，４ａに入射すると、一方の光拡散チャネル４ａで拡散された光Ｌ２の一部は光路Ａを通って眼Ｅに入射し、他方の光拡散チャネル４ａで拡散された光Ｌ２の一部は光路Ｂを通って眼Ｅに入射する。そして、眼Ｅに入射した光Ｌ２は、水晶体Ｃによって網膜Ｒ上に集光される。このとき、光路Ａを通って眼Ｅに入射した光Ｌ２と光路Ｂを通って眼Ｅに入射した光Ｌ２とが網膜Ｒ上で重なると、干渉が起こり、表示されたイメージに輝度むらが生じ得る。したがって、光拡散部４におけるレーザ光Ｌ１の集光サイズを複数の光拡散チャネル４ａの配列ピッチ（複数の光拡散チャネル４ａが二次元的に配列された平面に垂直な方向から見た場合における「互いに隣り合う（少なくとも、レーザ光Ｌ１の走査方向において互いに隣り合う）光拡散チャネル４ａの中心間距離」）以下とすれば、表示されたイメージに輝度むらが生じない。
【００２５】
以上の知見から、走査型表示システム１０、延いては、走査型表示装置１では、レーザ光Ｌ１の波長（各光出射部から出射されたレーザ光Ｌ１の中心波長のうちの最長の波長）をλとし、光走査部３の有効開口径（ミラー３ａの径）をＭとし、光走査部３から光拡散部４までの距離（光走査部３から光拡散部４に至る光路の長さ）をＬとし、複数の光拡散チャネル４ａの配列ピッチをＰとすると、Ｐ≧（４λＬ）／（πＭ）を満たすように、光拡散部４が構成されている。具体的には、Ｐ≧（４λＬ）／（πＭ）を満たすように、光拡散チャネル４ａの配列ピッチが設定されている。これにより、光拡散部４におけるレーザ光Ｌ１の集光サイズが光拡散チャネル４ａの配列ピッチ以下となる。
【００２６】
その理由は、次のとおりである。図４に示されるように、レーザ光が集光レンズによって集光される場合、レーザ光の波長をλとし、集光位置でのスポット径を２ωとし、集光レンズの焦点距離をＦとし、集光レンズのアパーチャ径をＤとすると、２ω＝（４λＦ）／（πＤ）が成立する。この式は、集光位置でのスポット径が像側のＮＡ（集光位置に対してレーザ光が集光する角度）に依存することを示している。ＮＡが大きくなるほど、集光位置でのスポット径が小さくなる。ＮＡは、集光レンズでのレーサ光の径及び集光レンズの焦点距離によって決定される。上記式におけるＦ／Ｄは、「集光位置に対してレーザ光が集光する角度」を表すから、相似の関係より、「光走査部３のミラー３ａでのレーザ光Ｌ１のスポット径」＝「光走査部３の有効開口径」と仮定すると、Ｄ＝Ｍ、Ｆ＝Ｌと捉えることができる。よって、Ｐ≧（４λＬ）／（πＭ）を満たすように、光拡散チャネル４ａの配列ピッチを設定すれば、光拡散部４におけるレーザ光Ｌ１の集光サイズが光拡散チャネル４ａの配列ピッチ以下となることを見出した。
【００２７】
光拡散部４におけるレーザ光Ｌ１の集光サイズ（：（４λＬ）／（πＭ））が小さくなるほど、解像度が高くなり、干渉の発生を抑制することができる。その点のみを考慮すると、光走査部３から光拡散部４までの距離（：Ｌ）は小さいことが好ましく、光走査部３の有効開口径（：Ｍ）は大きいことが好ましい。しかし、光走査部３から光拡散部４までの距離（：Ｌ）を小さくすると、光拡散部４に対するレーザ光Ｌ１の走査範囲を確保するために、ミラー３ａの揺動範囲を大きくしなければならない。また、光走査部３の有効開口径（：Ｍ）を大きくすると、ミラー３ａが大型化することから、ミラー３ａを高速で安定的に揺動させることが困難となる。光走査部３としてＭＥＭＳミラーを用いる場合には、このような制約が存在することから、光走査部３から光拡散部４までの距離（：Ｌ）及び光走査部３の有効開口径（：Ｍ）を考慮して、Ｐ≧（４λＬ）／（πＭ）を満たすように、光拡散チャネル４ａの配列ピッチを設定することは、特に重要である。
【００２８】
また、レーザ光Ｌ１の利用効率を確保するためには、「光走査部３のミラー３ａでのレーザ光Ｌ１のスポット径」＝「光走査部３の有効開口径」を狙うことが好ましい。しかし、実際には、ミラー３ａがアパーチャとして機能する場合がある。この場合、ミラー３ａによってレーザ光Ｌ１が反射される際にレーザ光Ｌ１に回折が起こる。図５に示されるように、アパーチャにおける回折の広がり幅Ｓは、レーザ光の波長をλとし、アパーチャの有効開口径をＤとし、アパーチャから集光位置までの距離をＬとすると、Ｓ＝Ｌλ／Ｄと表わされる（ただし、１次回折光までが顕著に影響すると仮定する）。したがって、走査型表示システム１０、延いては、走査型表示装置１では、光走査部３においてレーザ光Ｌ１に回折が起こると仮定し、Ｐ≧（４λＬ）／（πＭ）＋Ｌλ／Ｍを満たすように、光拡散部４が構成されている。具体的には、Ｐ≧（４λＬ）／（πＭ）＋Ｌλ／Ｍを満たすように、光拡散チャネル４ａの配列ピッチが設定されている。なお、ミラー３ａがアパーチャとして機能しない場合（すなわち、「光走査部３のミラー３ａでのレーザ光Ｌ１のスポット径」＜「光走査部３の有効開口径」である場合）には、Ｐ≧（４λＬ）／（πＭ）を満たすように、光拡散チャネル４ａの配列ピッチが設定されていればよい。
【００２９】
更に、光走査部３においては、ミラー３ａのミラー面に歪みが生じる場合がある。このミラー面の歪みに起因するレーザ光Ｌ１の広がり半径（光拡散部４におけるレーザ光Ｌ１の集光サイズの広がり半径）Ｅは、ミラー面の歪みを球形状に近似してその曲率半径をφとすると、Ｅ＝Ｌtan（２tan−１（Ｍ／（２φ）））と表わされる。したがって、光走査部３においてミラー３ａのミラー面に歪が生じている場合、走査型表示システム１０、延いては、走査型表示装置１では、Ｐ≧（４λＬ）／（πＭ）＋２Ｌtan（２tan−１（Ｍ／（２φ）））を満たすように、光拡散部４が構成されている。具体的には、Ｐ≧（４λＬ）／（πＭ）＋２Ｌtan（２tan−１（Ｍ／（２φ）））を満たすように、光拡散チャネル４ａの配列ピッチが設定されている。
【００３０】
この式が成立する理由は、次のとおりである。まず、「ミラー面が平坦面である場合、幾何光学的には１次像面（光拡散部４）上の１点に集光する」、「ミラー面の歪みは曲率半径φで表現することができる球形状であり、ミラー面の全域において均一である」と仮定する（実際には、ミラー面の歪は、球形状ではなかったり、全域において均一ではなかったりする場合もある）。曲率半径φの中心及びミラー面の中心を含む断面において、レーザ光Ｌ１の光路を幾何光学的に考える。「ミラー面の外縁と曲率半径φの中心とを結ぶ直線」と「ミラー面の中心と曲率半径φの中心とを結ぶ直線」とが成す角をθとすると、Ｍ≪φならば、θ＝tan−１（Ｍ／（２φ））となる。相似の関係より、ミラー最外縁点におけるミラー歪み円にミラー歪み曲率中心からおろした直線に垂直な直線と、ミラー最外縁点同士を結んだ直線の成す角はθである。ミラー面の外縁で反射したレーザ光Ｌ１は、ミラー面が平坦面である場合と比較して、ミラー面の歪みにより２θだけ反射角度がずれる。距離Ｌだけ離れた１次像面（光拡散部４）における理想の集光点からのすれ量Ｅは、Ｅ＝Ｌtan（２θ）と表わされる。このずれ量Ｅが理想の集光状態からのレーザ光Ｌ１の広がり半径となるから、ミラー面の歪みに起因するレーザ光Ｌ１の広がり半径Ｅは、Ｅ＝Ｌtan（２tan−１（Ｍ／（２φ）））と表わされる。
【００３１】
以上説明したように、走査型表示装置１（及び走査型表示システム１０）によれば、光拡散部４におけるレーザ光Ｌ１の集光サイズを光拡散チャネル４ａの配列ピッチ以下とすることができる。したがって、走査型表示装置１によれば、表示されたイメージに輝度むらが生じるのを抑制することができる。
【００３２】
また、走査型表示装置１では、Ｐ≧（４λＬ）／（πＭ）＋Ｌλ／Ｍを満たすように、光拡散部４が構成されている。これにより、光走査部３においてレーザ光Ｌ１に回折が起こったとしても、光拡散部４におけるレーザ光Ｌ１の集光サイズを光拡散チャネル４ａの配列ピッチ以下とすることができるので、表示されたイメージに輝度むらが生じるのを抑制することができる。
【００３３】
また、走査型表示装置１では、光走査部３がＭＥＭＳミラーである。これにより、光拡散部４に対するレーザ光Ｌ１の走査を高速且つ高精度で実現することができる。
【００３４】
また、走査型表示装置１では、光走査部３においてミラー３ａのミラー面に歪が生じている場合に、ミラー面の曲率半径をφとすると、Ｐ≧（４λＬ）／（πＭ）＋２Ｌtan（２tan−１（Ｍ／（２φ）））を満たすように、光拡散部４が構成されている。これにより、光走査部３においてミラー３ａのミラー面に歪が生じていたとしても、光拡散部４におけるレーザ光Ｌ１の集光サイズを光拡散チャネル４ａの配列ピッチ以下とすることができるので、表示されたイメージに輝度むらが生じるのを抑制することができる。
【００３５】
また、走査型表示装置１では、光拡散部４が透過型のマイクロレンズアレイである。これにより、二次元に配列された複数の光拡散チャネル４ａによるレーザ光Ｌ１の拡散を確実に且つ容易に実現することができる。
【００３６】
以上、本発明の一実施形態について説明したが、本発明は、上述した一実施形態に限定されない。
【００３７】
例えば、光源２は、コヒーレントな光（レーザ光）を出射することができるものであれば、レーザダイオード（半導体レーザ）に限定されず、面発光レーザ、ＳＬＤ（スーパールミネッセントダイオード）等であってもよい。また、光走査部３は、レーザ光を走査することができるものであれば、ＭＥＭＳミラーに限定されず、ガルバノミラー等であってもよい。また、光拡散部４は、レーザ光を透過させて拡散させるものに限定されず、レーザ光を反射して拡散させるものであってもよい。つまり、光拡散部４は、二次元に配列された複数の光拡散チャネル４ａを有するものであれば、透過型のマイクロレンズアレイに限定されず、反射型のマイクロレンズアレイ、マイクロミラーアレイ、回折格子、ファイバオプティックプレート等であってもよい。なお、光拡散部４が透過型のマイクロレンズアレイである場合には、光拡散部４の光入射面が平坦面である一方で、複数のマイクロレンズに対応した複数の凸面によって光拡散部４の光出射面が構成されていてもよい。また、複数の凸面に替えて、複数の凹面が、複数のマイクロレンズに対応するように形成されていてもよい。
【００３８】
また、光拡散部４は、光拡散チャネル４ａの配列ピッチがＰ≧（４λＬ）／（πＭ）に基づいて設定された値となるように、構成されていてもよい。例えば、光拡散部４は、光拡散チャネル４ａの配列ピッチがＰ≧（４λＬ）／（πＭ）±２０μｍを満たすように、構成されていてもよい。また、光拡散部４は、光拡散チャネル４ａの配列ピッチがＰ≧（４λＬ）／（πＭ）＋Ｌλ／Ｍに基づいて設定された値となるように、構成されていてもよい。例えば、光拡散部４は、光拡散チャネル４ａの配列ピッチがＰ≧（４λＬ）／（πＭ）＋Ｌλ／Ｍ±２０μｍを満たすように、構成されていてもよい。また、光拡散部４は、光拡散チャネル４ａの配列ピッチがＰ≧（４λＬ）／（πＭ）＋２Ｌtan（２tan−１（Ｍ／（２φ）））に基づいて設定された値となるように、構成されていてもよい。例えば、光拡散部４は、光拡散チャネル４ａの配列ピッチがＰ≧（４λＬ）／（πＭ）＋２Ｌtan（２tan−１（Ｍ／（２φ）））±２０μｍを満たすように、構成されていてもよい。つまり、全ての光拡散チャネル４ａにおいて、Ｐ≧（４λＬ）／（πＭ）という条件が満たされる必要はない。このことは、Ｐ≧（４λＬ）／（πＭ）＋Ｌλ／Ｍという条件、及び、Ｐ≧（４λＬ）／（πＭ）＋２Ｌtan（２tan−１（Ｍ／（２φ）））という条件についても、同様である。また、複数の光拡散チャネル４ａの配列ピッチは、一定である必要はなく、例えばランダムであってもよい。
【００３９】
また、走査型表示システム１０は、光拡散部４の後段に配置された光学系１１を備えていなくてもよい。この場合にも、表示されたイメージに輝度むらが生じるのを抑制することができる。
【００４０】
また、上述した走査型表示装置１は、車載タイプに限定されず、ヘルメット内蔵タイプ、眼鏡タイプ等、様々な場面で用いることができる。
【符号の説明】
【００４１】
１…走査型表示装置、２…光源、３…光走査部、４…光拡散部、４ａ…光拡散チャネル、６…集光部、１０…走査型表示システム、１１…光学系、Ｌ１…レーザ光。
【図１】
2020030417.tif 000003
【図２】
2020030417.tif 000004
【図３】
2020030417.tif 000005
【図４】
2020030417.tif 000006
【図５】
2020030417.tif 000007